(57)【要約】光情報保存媒体及びその記録方法が開示されている。この開示された光情報保存媒体は、リードイン領域、ユーザデータが記録されるユーザデータゾーン及びリードアウト領域を含み、前記リードイン領域及びリードアウト領域のうち、少なくとも何れか一領域に記録防止情報が記録され、欠陥管理実行如何に関する情報が共に記録されることを特徴とし、記録方法は、記録防止に関する情報を記録する段階と、再生時に発生する欠陥領域に対する管理を実行するか否かに関する情報を記録する段階とを含む。前記のように欠陥管理を行うか否かに関する情報を記録することによって、記録防止になっても欠陥発生時に欠陥管理をする必要がある場合に、選択的に欠陥管理を行える。
2005536000.tif 000002
【特許請求の範囲】
【請求項１】
リードイン領域、ユーザデータが記録されるユーザデータゾーン及びリードアウト領域を含む光情報保存媒体であって、
記録防止情報が記録され、欠陥管理実行如何に関する情報が共に記録されることを特徴とする光情報保存媒体。
【請求項２】
前記ユーザデータゾーンに欠陥領域を代替する内部スペア領域または外部スペア領域と、ユーザデータが記録される領域とが備えられ、欠陥管理が実行される場合、前記ユーザデータの記録される領域は、記録防止されることを特徴とする請求項１に記載の光情報保存媒体。
【請求項３】
前記リードイン領域及びリードアウト領域のうち、少なくとも何れか一領域にあるドライブテストゾーン、ドライブ確認ゾーンと前記内部スペア領域及び／または外部スペア領域は、記録可能になっていることを特徴とする請求項２に記載の光情報保存媒体。
【請求項４】
欠陥管理を実行しない場合、ユーザデータの記録される領域、リードイン及びリードアウト領域のうち、少なくとも何れか一領域に備えられた欠陥管理のためのゾーンは、記録防止されることを特徴とする請求項１に記載の光情報保存媒体。
【請求項５】
前記リードイン領域及びリードアウト領域のうち少なくとも何れか一領域に備えられたドライブテストゾーンと記録防止情報の記録されたディスク確認ゾーンは、記録可能であることを特徴とする請求項４に記載の光情報保存媒体。
【請求項６】
記録防止情報及び欠陥管理実行如何に関する情報は、前記リードイン領域及びリードアウト領域のうち、少なくとも何れか一領域に記録されることを特徴とする請求項１に記載の光情報保存媒体。
【請求項７】
前記記録防止情報及び欠陥管理実行如何に関する情報は、リードイン領域及びリードアウト領域のうち、少なくとも何れか一領域にあるディスク確認ゾーンの所定のＥＣＣブロックに記録されることを特徴とする請求項６に記載の光情報保存媒体。
【請求項８】
前記記録防止情報及び欠陥管理実行如何に関する情報は、前記ＥＣＣブロックにある少なくとも１バイト以上にあるビットの組合わせで記録されることを特徴とする請求項７に記載の光情報保存媒体。
【請求項９】
前記記録防止情報及び欠陥管理実行如何に関する情報は、前記ＥＣＣブロックにある相異なるバイトに記録されることを特徴とする請求項７に記載の光情報保存媒体。
【請求項１０】
リードイン領域、ユーザデータの記録されるユーザデータゾーン及びリードアウト領域を含む光情報保存媒体を記録する方法において、
記録防止に関する情報を記録する段階と、
再生時に発生する欠陥領域に対する管理を実行するか否かに関する情報を記録する段階とを含むことを特徴とする記録方法。
【請求項１１】
前記ユーザデータゾーンに欠陥領域を代替する内部スペア領域または外部スペア領域と、ユーザデータの記録される領域が備えられ、欠陥管理が実行される場合に、前記ユーザデータが記録される領域が記録防止されることを特徴とする請求項１０に記載の記録方法。
【請求項１２】
前記リードイン領域及びリードアウト領域のうち、少なくとも何れか一領域にあるドライブテストゾーン、ドライブ確認ゾーンと前記内部スペア領域及び／または外部スペア領域は、記録可能になっていることを特徴とする請求項１１に記載の記録方法。
【請求項１３】
欠陥管理を実行しない場合、ユーザデータの記録される領域、リードイン及びリードアウト領域のうち、少なくとも何れか一領域に備えられた欠陥管理のためのゾーンが記録防止されることを特徴とする請求項１０に記載の記録方法。
【請求項１４】
前記リードイン領域及びリードアウト領域のうち、少なくとも何れか一領域に備えられたドライブテストゾーンと記録防止情報の記録されたディスク確認ゾーンは、記録可能であることを特徴とする請求項１３に記載の記録方法。
【請求項１５】
前記記録防止情報及び欠陥管理実行如何に関する情報は、リードイン領域及びリードアウト領域のうち、少なくとも何れか一領域にあるディスク確認ゾーンの所定のＥＣＣブロックに記録されることを特徴とする請求項１０ないし１４のうち何れか一項に記載の記録方法。
【請求項１６】
前記記録防止情報及び欠陥管理実行如何に関する情報は、前記ＥＣＣブロックにある少なくとも１バイト以上にあるビットの組合わせで記録されることを特徴とする請求項１５に記載の記録方法。
【請求項１７】
前記記録防止情報及び欠陥管理実行如何に関する情報は、前記ＥＣＣブロックにある相異なるバイトに記録されることを特徴とする請求項１５に記載の記録方法。
【発明の詳細な説明】
【技術分野】
【０００１】
本発明は、光情報保存媒体及びその記録方法に係り、より詳細には、記録防止情報を記録すると同時に、欠陥管理に関する情報も共に記録した光情報保存媒体及びその記録方法に関する。
【背景技術】
【０００２】
一般的に、光情報保存媒体、例えば、光ディスクは、非接触式で情報を記録／再生する光ピックアップ装置の情報媒体として広く採用され、情報記録容量によってコンパクトディスク（ＣＤ）、デジタル多機能ディスク（ＤＶＤ）に区分されうる。そして、データの記録、消去及び再生可能な光ディスクとしては、ＣＤ−Ｒ、ＣＤ−ＲＷ、ＤＶＤ−ＲＷ、ＤＶＤ−ＲＡＭ、ＤＶＤ＋ＲＷなどがある。さらに、記録容量が２０ＧＢ以上の高密度光ディスクも開発されている。
【０００３】
前記のような光ディスクをユーザが使用する時、使用目的によって、それ以上の記録を所望しない場合が発生する。例えば、ファイル保管（ａｒｃｈｉｖｉｎｇ）用として用いるために、記録されたデータの再生だけを所望する場合に、それ以上のデータ記録がなされないようにする必要がある。そのような目的で、記録防止に関する情報を記録する必要性が高まり、既にＤＶＤ−ＲＡＭ／Ｒ／ＲＷに適用されている。ところが、記録防止をするとしても、必要によっては一部の領域は記録可能にする必要もある。例えば、記録防止されていても、欠陥管理を可能にする必要がある時には、スペア領域のような領域は、記録可能にしなければ、欠陥領域を代替することができない。このような場合に備えて記録防止情報と共に欠陥管理情報も提供されねばならない必要性がある。
【発明の開示】
【発明が解決しようとする課題】
【０００４】
本発明は、前記問題点を勘案して案出されたものであって、記録防止情報が記録される時、欠陥管理を許容するか否かに関する情報が共に記録された光情報保存媒体及びその記録方法を提供するところにその目的がある。
【課題を解決するための手段】
【０００５】
前記目的を達成するために、本発明による光情報保存媒体は、リードイン領域、ユーザデータが記録されるユーザデータゾーン及びリードアウト領域を含む光情報保存媒体であって、記録防止情報が記録され、欠陥管理実行如何に関する情報が共に記録されることを特徴とする。
【０００６】
前記ユーザデータゾーンに欠陥領域を代替する内部スペア領域または外部スペア領域と、ユーザデータが記録される領域とが備えられ、欠陥管理が実行される場合、前記ユーザデータの記録される領域が記録防止され、前記リードイン領域及びリードアウト領域のうち、少なくとも何れか一領域にあるドライブテストゾーン、ドライブ確認ゾーンと前記内部スペア領域及び／または外部スペア領域が記録可能である。
【０００７】
欠陥管理を実行しない場合、ユーザデータが記録される領域、リードイン及びリードアウト領域のうち、少なくとも何れか一領域に備えられた欠陥管理のためのゾーンが記録防止され、前記リードイン領域及びリードアウト領域のうち、少なくとも何れか一領域に備えられたドライブテストゾーンと記録防止情報が記録されたディスク確認ゾーンは、記録可能である。
【０００８】
前記目的を達成するために本発明による光情報保存媒体の記録方法は、リードイン領域、ユーザデータが記録されるユーザデータゾーン及びリードアウト領域を含む光情報保存媒体を記録する方法において、記録防止に関する情報を記録する段階と、再生時発生する欠陥領域に対する管理を実行するか否かに関する情報を記録する段階とを含むことを特徴とする。
【発明を実施するための最良の形態】
【０００９】
図１は、リードイン領域１０、ユーザデータが記録されるユーザデータゾーン２０、リードアウト領域３０を含む光情報保存媒体の全体的な構造を概略的に示した図である。リードイン領域１０には、ディスクテストゾーン１０ａ、ドライブテストゾーン１０ｂ、欠陥管理ゾーン１０ｃ、ディスク確認ゾーン１０ｅ及びバッファゾーン１０ｆなどが備えられうる。その他、以後に他の情報が記録されうる余裕領域として少なくとも１つの保留領域１０ｄがさらに備えられうる。
【００１０】
ディスク確認ゾーン１０ｅには、ディスクコントロール関連情報またはディスク状態情報などが記録され、本発明によって記録防止情報と欠陥管理情報とが記録されうる。ディスク確認ゾーン１０ｅは、規格によってディスク関連情報領域またはディスクコントロール領域と呼ばれる。一方、リードアウト領域３０は、リードイン領域１０と類似している構造を有するものであって、ここでは詳細な説明を省略する。
【００１１】
ユーザデータゾーン２０には、欠陥領域の発生時、この欠陥領域を代替する内部スペア領域２０ａ及び外部スペア領域２０ｃが備えられ、ユーザデータの記録されるユーザデータ領域２０ｂが備えられる。内部スペア領域２０ａまたは外部スペア領域２０ｃは、ユーザデータ領域２０ｂで欠陥領域が発生した場合、この欠陥領域に記録されたデータがコピーされて記録される領域である。言い変えれば、ユーザデータ領域２０ｂに記録されたデータの再生時に欠陥領域Ａが発生すれば、前記欠陥領域Ａが、例えば、内部スペア領域２０ａの所定領域Ｂに代替される。
【００１２】
一方、欠陥管理ゾーン１０ｃには、欠陥領域と欠陥領域が代替されたスペア領域とに関する情報が記録されうる。このように欠陥領域に対して管理を行うことによって、さらに信頼性あるデータの記録及び／または再生の性能を確保しうる。
【００１３】
図２には、記録防止情報がディスク確認ゾーン１０ｅにある所定のＥＣＣブロック内の何れか１バイトに記録される一例を示した。ここで、ビット値によって次のような情報が記録されうる。
【００１４】
【表１】
2005536000.tif 000003
前記表１でノーマルな記録とは、通常的にデータの記録／削除／再生が何れも可能な場合を意味し、全領域に記録防止された場合は、それ以上の記録を許容しないという意味で永遠に記録を防止するという意味である。この場合は、別の欠陥管理が要求されず、記録防止に関する情報を修正できない。
【００１５】
次いで、欠陥管理が可能な記録防止の場合には、データの記録時または再生時に発生する欠陥に対して欠陥管理を行うということを意味する。欠陥管理のためには欠陥領域に関する情報を記録せねばならないので、リードイン領域１０の欠陥管理ゾーン１０ｃが記録可能なければならず、欠陥領域に代えて欠陥領域に記録されたデータをスペア領域に記録せねばならないので、内部スペア領域２０ａ及び外部スペア領域２０ｃが記録可能でなければならない。また、ドライブテストゾーン１０ｂ及びディスク確認ゾーン１０ｅも記録可能できねばならない。ディスク確認ゾーン１０ｅには、記録防止情報と欠陥管理情報とが記録される。この際、記録防止に関する情報は、ユーザが選択的に記録しうる。すなわち、一時的に記録防止をしたが、以後には記録防止をしないという内容の情報を記録しうる。このように記録防止と関連した情報を更新できるようにディスク確認ゾーン１０ｅは記録可能であることが望ましい。一方、前記のように記録が防止されると共に、欠陥管理を行うという情報が記録された場合には、ユーザデータ領域２０ｂだけが記録防止される。
【００１６】
次いで、欠陥管理が不可能な記録防止は、データの記録または再生時に発生する欠陥に対して欠陥管理をしないという意味で、ドライブテストゾーン１０ｂ及びディスク確認ゾーン１０ｅを除外したあらゆる領域が記録防止される。すなわち、この場合には欠陥管理をする必要がないので、欠陥管理ゾーン１０ｃ、内部スペア領域２０ａ及び外部スペア領域２０ｃが記録防止され、ユーザデータ領域２０ｂも記録防止される。ここで、欠陥管理をせずとも、再生実行のためには基本的にドライブテストゾーン１０ｂは記録可能でなければならず、記録防止情報や欠陥管理情報に対する更新のためにディスク確認ゾーン１０ｅは記録可能であることが望ましい。
【００１７】
前記例では、ディスク確認ゾーン１０ｅにある１つのバイト、例えば、Ｎバイトに記録防止情報が記録された場合を例示したが、複数個のバイトにも記録されうる。ここで、所定バイトにあるビットの組合わせで記録防止情報と欠陥管理情報とを記録しうる。また、記録防止情報と欠陥管理情報とを各々別個のバイトに記録する方法もある。すなわち、Ｎバイトには記録防止情報を、（Ｎ＋１）バイトには欠陥管理の実行如何に関する情報を記録しうる。
【００１８】
本発明で、記録防止に関する情報と欠陥管理に関する情報とがリードイン領域１０及びリードアウト領域３０のうち、少なくとも何れか一領域に記録しうる。リードイン領域またはリードアウト領域に記録された情報が損傷される場合に備えて前記二領域に同じ内容を繰返して記録しうる。
【００１９】
本発明による光情報保存媒体の記録方法は、リードイン領域１０及びリードアウト領域３０のうち、少なくとも何れか一領域に記録防止に関する情報を記録し、このようにデータの記録または再生時に発生した欠陥領域の管理を実行するか否かに関する情報を記録する。前記記録防止情報と欠陥管理実行情報は、例えば、ディスク確認ゾーン１０ｅに記録されうる。
【００２０】
欠陥管理を実行するものと記録した場合には、ドライブテストゾーン１０ｂ、欠陥管理ゾーン１０ｃ、内部スペア領域２０ａ及び外部スペア領域２０ｃは記録可能となるが、ユーザデータが記録される領域２０ｂだけが記録防止される。欠陥管理を実行しないと記録した場合には、欠陥管理ゾーン１０ｃ、内部スペア領域２０ａ、外部スペア領域２０ｃ及びユーザデータ領域２０ｂが記録防止される。
【００２１】
本発明による情報保存媒体にデータを記録及び／または再生する装置が図３に図示されている。データの記録時、ＡＶ符号器１１０が所定の圧縮スキームによってＡＶ信号を圧縮コード化し、圧縮データのためのサイズ情報を供給する。そして、デジタル信号処理器１２０は、ＡＶ符号器１１０から供給された圧縮Ａ／Ｖデータを受信し、ＥＣＣ処理のための付加データを付加し、所定の変調スキームを用いて変調を行う。ＲＦ増幅器１３０は、デジタル信号処理器１２０からの変調データをＲＦ信号に変換する。次いで、ピックアップ１４０がＲＦ増幅器１３０から提供されたＲＦ信号をピックアップのターンテーブルに装着されたディスクに記録する。サーボ１５０は、システム制御器１６０からサーボ制御のために必要な情報を受信し、ディスクのためのサーボ機能を行う。
【００２２】
次いで、ディスクに保存されたデータの再生時、ピックアップ１４０は、ディスクから光信号を検出し、ディスクに保存されたデータは、この光信号より抽出される。ＲＦ増幅器１３０は、光信号をＲＦ信号に変換し、サーボ機能を行うためのサーボ信号と変調されたデータを抽出する。デジタル信号処理器１２０は、データ変調時に使われた変調スキームに対応し、ＲＦ増幅器１３０から提供された変調データを復調し、ＥＣＣ処理を行ってエラーを訂正し、付加されたデータを除去する。サーボ１５０は、ＲＦ増幅器１３０及びシステム制御器１６０からサーボ制御のために必要な情報を受信してサーボ機能を安全に行う。ＡＶ符号器１１０は、デジタル信号処理器１２０から提供された圧縮Ａ／ＶデータをデコーディングしてＡ／Ｖ信号を出力する。システム制御器１６０は、ピックアップ１４０のターンテーブルに装着されたディスクにデータを記録するか、再生するために全体システムを制御する。
【００２３】
前記のように構成されたデータの記録及び／または再生装置を用いて、本発明の一実施励によるデータの記録及び／または再生方法を行う過程が図４に示されている。まず、ホストの再生命令によってドライブは、ホストが要求した論理的アドレスに対応するディスク上の物理的アドレスを探してデータの再生を行う（Ｓ１０）。この際、ドライブは、１ＥＣＣブロック単位でデータを再生してエラー訂正を行うようになるが、エラー訂正が不可能な程度に欠陥またはエラーが発生した場合には、この欠陥またはエラーが発生したブロックに記録されたデータは再生が不可能である。しかし、エラー訂正を通じて、そのブロックに発生した欠陥またはエラーに対して欠陥管理を行ってデータの再生が可能になる場合がある。ここで、訂正が可能な欠陥は、既定の欠陥条件を充足させる欠陥であって、このような欠陥は、訂正及び管理が可能である。このようにデータ再生中にエラー訂正が可能な欠陥が発生すれば（Ｓ２０）、システム制御器１６０に結合された内部メモリ１７０に欠陥領域の位置情報が保存される（Ｓ３０）。
【００２４】
例えば、図１を参照するに、ドライブで再生を行う時、５番目のブロックに欠陥が発生した時、５番目のブロックが欠陥領域Ａという情報がメモリ１７０に保存される。次いで、ドライブが再生を完了した後、それ以上のホストの命令がない時（Ｓ４０）、すなわち、待機状態またはドライブから保存媒体を取り出す時、メモリ１７０に保存された情報を読込み、前記欠陥領域（５番目のブロック）Ａに記録されたデータを内部スペア領域２０ａまたは外部スペア領域２０ｃの代替領域Ｂにコピーして記録する（Ｓ５０）。そして、欠陥管理情報として欠陥領域の位置情報と欠陥領域が代替された領域の位置情報とを欠陥管理領域１０ｃに記録する（Ｓ６０）。
【００２５】
前記のように欠陥管理情報が記録された後、前記欠陥領域Ａに記録されたデータの再生時、前記欠陥管理情報を用いて欠陥領域の代替領域Ｂに記録されたデータを再生する。このように欠陥管理情報を記録することによって、記録防止情報が記録された場合にも欠陥管理を通じてデータを信頼性あるように再生しうる。
【００２６】
一方、他の実施例によるデータの記録及び／または再生方法は、図５を参照するに、ホストの再生命令によってデータの再生中に欠陥が発生すれば（Ｓ７０及びＳ８０）、この欠陥領域が内部スペア領域２０ａまたは外部スペア領域２０ｃの所定領域に代替される（Ｓ９０）。そして、欠陥管理情報として欠陥領域に関する位置情報と代替領域に関する情報とが欠陥管理ゾーン１０ｅに記録される（Ｓ１００）。この実施例では、欠陥領域が発生すれば、直ちに欠陥領域が所定領域に代替され、欠陥領域と代替領域とに関する情報が記録されるためにメモリが不要であるという利点がある。このような実施例は、保存媒体の記録及び／または再生速度が、ホストから要求される速度より速い時に可能である。
【００２７】
以上の実施例により記録防止された場合にも欠陥管理が可能である。
【産業上の利用可能性】
【００２８】
前述したように、本発明による光情報保存媒体及びその記録方法は、記録防止に関する情報を記録する場合、再生時に発生する欠陥管理実行如何に関する情報も共に記録することによって、欠陥管理を行える方法を提供する。このように欠陥管理を実行するか否かに関する情報を記録することによって、記録防止になっても欠陥発生時に欠陥管理をする必要がある場合に、選択的に欠陥管理を行える。
【図面の簡単な説明】
【００２９】
【図１】本発明による光情報保存媒体の領域別構造を示す図である。
【図２】本発明による光情報保存媒体の記録防止情報を記録する方法を説明するための図である。
【図３】本発明による光情報保存媒体にデータを記録及び／または再生する装置のブロック図である。
【図４】本発明の望ましい実施例による光情報保存媒体の記録及び／または再生方法を示すブロック図である。
【図５】本発明の望ましい実施例による光情報保存媒体の記録及び／または再生方法を示すブロック図である。
【図１】
2005536000.tif 000004
【図２】
2005536000.tif 000005
【図３】
2005536000.tif 000006
【図４】
2005536000.tif 000007
【図５】
2005536000.tif 000008
【国際調査報告】
2005536000.tif 000009